【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
複数の操作対象装置及び複数の操作信号通知装置に、ネットワークを介して接続された情報処理装置であって、
前記複数の操作信号通知装置の内の一の操作信号通知装置から送信された、前記操作対象装置を操作するための操作信号を示す操作信号情報、及び、前記複数の操作対象装置の各々から送信された、前記複数の操作対象装置の各々の動作状態を示す動作状態情報、を受信する通信処理部と、
前記通信処理部で受信された操作信号情報で示される操作信号から、操作指示内容を解析する操作情報処理部と、
前記操作情報処理部で解析された操作指示内容に従って処理を実行した後の前記操作対象装置の動作状態を推定し、当該推定された動作状態と、前記通信処理部で受信された動作状態情報で示される動作状態とを比較することで、前記複数の操作対象装置の中から、当該推定された動作状態と動作状態が一致する、又は、一致した確率が高い操作対象装置を特定し、当該特定された操作対象装置と、前記一の操作対象装置とを同じグループに分類するグルーピング処理部と、を備えること
を特徴とする情報処理装置。
【請求項２】
前記操作情報処理部で解析された操作指示内容に従って処理を実行することで、前記操作対象装置の動作状態が変更されるか否かを判定する確認実行判定部と、
前記操作情報処理部で解析された操作指示内容に従って処理を実行することで、前記操作対象装置の動作状態が変更されると前記確認実行判定部が判定した場合に、前記通信処理部を介して、前記複数の操作対象装置の各々に動作状態を問い合わせる動作状態確認部と、をさらに備え、
前記複数の操作対象装置の各々は、前記情報処理装置からの問い合わせを受信した場合に、自装置の動作状態を取得して、前記動作状態情報を送信し、
前記通信処理部は、前記動作状態確認部の問い合わせの応答として、前記動作状態情報を受信すること
を特徴とする請求項１に記載の情報処理装置。
【請求項３】
前記複数の操作対象装置の各々は、自装置の動作状態が変化した場合に、自装置の動作状態を取得して、前記動作状態情報を送信すること
を特徴とする請求項１に記載の情報処理装置。
【請求項４】
前記グルーピング処理部は、前記複数の操作対象装置の内、分類されたグループに含まれる操作信号通知装置が同じ操作対象装置は、同じグループであると判断すること
を特徴とする請求項１から３の何れか一項に記載の情報処理装置。
【請求項５】
前記複数の操作対象装置の各々を前記グループ毎に分類して前記複数の操作対象の中から操作を行う操作対象装置の選択を受け付けるための第１のインタフェース画面を生成するリモート操作処理部と、
前記第１のインタフェース画面を表示して、前記選択の入力を受けるユーザインタフェース部と、をさらに備えること
を特徴とする請求項１から４の何れか１項に記載の情報処理装置。
【請求項６】
前記リモート操作処理部は、前記選択された操作対象装置に対する操作指示の入力を受け付けるための第２のインタフェース画面を生成し、
前記ユーザインタフェース部は、前記第２のインタフェース画面を表示して、前記操作指示の入力を受けること
を特徴とする請求項５に記載の情報処理装置。
【請求項７】
ネットワークに接続された、複数の操作対象装置と、複数の操作信号通知装置と、情報処理装置とを備える情報処理システムであって、
前記複数の操作対象装置の各々は、
自装置を操作する操作信号を送信する遠隔操作部と、
前記遠隔操作部から送信された操作信号を受信する第１の操作信号受信部と、
前記第１の操作信号受信部で受信された操作信号に従って、機能を実行することで、自装置の動作状態を変更する機能実行部と、
自装置の動作状態を取得する動作状態取得部と、
前記動作状態取得部で取得された動作状態を示す動作状態情報を、前記情報処理装置に送信する第１の通信処理部と、を備え、
前記複数の操作信号通知装置の各々は、
前記操作対象装置の遠隔操作部から送信された操作信号を受信する第２の操作信号受信部と、
前記第２の操作信号受信部で受信された操作信号を示す操作信号情報を、前記情報処理装置に送信する第２の通信処理部と、を備え、
前記情報処理装置は、
前記複数の操作信号通知装置の内の一の操作信号通知装置から送信された操作信号情報及び前記複数の操作対象装置の各々から送信された動作状態情報を受信する第３の通信処理部と、
前記第３の通信処理部で受信された操作信号情報で示される操作信号から、操作指示内容を解析する操作情報処理部と、
前記操作情報処理部で解析された操作指示内容に従って処理を実行した後の前記操作対象装置の動作状態を推定し、当該推定された動作状態と、前記第３の通信処理部で受信された動作状態情報で示される動作状態とを比較することで、前記複数の操作対象装置の中から、当該推定された動作状態と動作状態が一致する、又は、一致した確率が高い操作対象装置を特定し、当該特定された操作対象装置と、前記一の操作対象装置とを同じグループに分類するグルーピング処理部と、を備えること
を特徴とする情報処理システム。
【請求項８】
前記情報処理装置は、
前記操作情報処理部で解析された操作指示内容に従って処理を実行することで、前記操作対象装置の動作状態が変更されるか否かを判定する確認実行判定部と、
前記操作情報処理部で解析された操作指示内容に従って処理を実行することで、前記操作対象装置の動作状態が変更されると前記確認実行判定部が判定した場合に、前記第３の通信処理部を介して、前記複数の操作対象装置の各々に動作状態を問い合わせる動作状態確認部と、をさらに備え、
前記操作対象装置の前記動作状態取得部は、前記第１の通信処理部が前記情報処理装置からの問い合わせを受信した場合に、自装置の動作状態を取得して、前記第１の通信処理部に、前記動作状態情報を送信させ、
前記情報処理装置の前記第３の通信処理部は、前記動作状態確認部の問い合わせの応答として、前記動作状態情報を受信すること
を特徴とする請求項７に記載の情報処理システム。
【請求項９】
前記操作対象装置の前記動作状態取得部は、自装置の動作状態が変化した場合に、自装置の動作状態を取得して、前記第１の通信処理部に、前記動作状態情報を送信させること
を特徴とする請求項７に記載の情報処理システム。
【請求項１０】
前記グルーピング処理部は、前記複数の操作対象装置の内、分類されたグループに含まれる操作信号通知装置が同じ操作対象装置は、同じグループであると判断すること
を特徴とする請求項７から９の何れか一項に記載の情報処理システム。
【請求項１１】
前記情報処理装置は、
前記複数の操作対象装置の各々を前記グループ毎に分類して前記複数の操作対象装置の中から操作を行う操作対象装置の選択を受け付けるための第１のインタフェース画面を生成するリモート操作処理部と、
前記第１のインタフェース画面を表示して、前記選択の入力を受けるユーザインタフェース部と、をさらに備えること
を特徴とする請求項７から１０の何れか１項に記載の情報処理システム。
【請求項１２】
前記リモート操作処理部は、前記選択された操作対象装置に対する操作指示の入力を受け付けるための第２のインタフェース画面を生成し、
前記ユーザインタフェース部は、前記第２のインタフェース画面を表示して、前記操作指示の入力を受けること
を特徴とする請求項１１に記載の情報処理システム。
【請求項１３】
ネットワークに接続された、複数の操作対象装置と、複数の操作信号通知装置と、情報処理装置とが行う情報処理方法であって、
前記複数の操作対象装置の各々が、
自装置を操作する操作信号を送信する遠隔操作ステップと、
前記遠隔操作ステップで送信された操作信号を受信する第１の操作信号受信ステップと、
前記第１の操作信号受信ステップで受信された操作信号に応じて処理を実行することで、自装置の動作状態を変更する機能実行ステップと、
自装置の動作状態を取得する動作状態取得ステップと、
前記動作状態取得ステップで取得された動作状態を示す動作状態情報を、前記情報処理装置に送信する第１の通信処理ステップと、を行い、
前記複数の操作信号通知装置の各々が、
前記操作対象装置の遠隔操作ステップで送信された操作信号を受信する第２の操作信号受信ステップと、
前記第２の操作信号受信ステップで受信された操作信号を示す操作信号情報を、前記情報処理装置に送信する第２の通信処理ステップと、を行い、
前記情報処理装置が、
前記複数の操作信号通知装置の内の一の操作信号通知装置から送信された操作信号情報及び前記操作対象装置の各々から送信された動作状態情報を受信する第３の通信処理ステップと、
前記第３の通信処理ステップで受信された操作信号情報で示される操作信号から、操作指示内容を解析する操作情報処理ステップと、
前記操作情報処理ステップで解析された操作指示内容に従って処理を実行した後の前記操作対象装置の動作状態を推定し、当該推定された動作状態と、前記第３の通信処理ステップで受信された動作状態情報で示される動作状態とを比較することで、前記複数の操作対象装置の中から、当該推定された動作状態と動作状態が一致する、又は、一致した確率が高い操作対象装置を特定し、当該特定された操作対象装置と、前記一の操作対象装置とを同じグループに分類するグルーピング処理ステップと、を行うこと
を特徴とする情報処理方法。
【請求項１４】
前記情報処理装置は、
前記操作情報処理ステップで解析された操作指示内容に従って処理を実行することで、前記操作対象装置の動作状態が変更されるか否かを判定する確認実行判定ステップと、
前記操作情報処理ステップで解析された操作指示内容に従って処理を実行することで、前記操作対象装置の動作状態が変更されると前記確認実行判定ステップで判定された場合に、前記複数の操作対象装置の各々に動作状態を問い合わせる動作状態確認ステップと、をさらに行い、
前記動作状態取得ステップは、前記動作状態確認ステップでの問い合わせを受信した場合に、自装置の動作状態を取得するステップであり、
前記第３の通信処理ステップは、前記動作状態確認ステップでの問い合わせの応答として、前記動作状態情報を受信するステップであること
を特徴とする請求項１３に記載の情報処理方法。
【請求項１５】
前記動作状態取得ステップは、自装置の動作状態が変化した場合に、自装置の動作状態を取得するステップであること
を特徴とする請求項１３に記載の情報処理方法。
【請求項１６】
前記グルーピング処理ステップは、前記複数の操作対象装置の内、分類されたグループに含まれる操作信号通知装置が同じ操作対象装置は、同じグループであると判断すること
を特徴とする請求項１３から１５の何れか一項に記載の情報処理方法。
【請求項１７】
前記情報処理装置は、
前記複数の操作対象装置の各々を前記グループ毎に分類して前記複数の操作対象装置の中から操作を行う操作対象装置の選択を受け付けるための第１のインタフェース画面を生成するリモート操作処理ステップと、
前記第１のインタフェース画面を表示して、前記選択の入力を受けるユーザインタフェース提供ステップと、をさらに備えること
を特徴とする請求項１３から１６の何れか１項に記載の情報処理方法。
【請求項１８】
前記リモート操作処理ステップは、前記選択された操作対象装置に対する操作指示の入力を受け付けるための第２のインタフェース画面を生成し、
前記ユーザインタフェース提供ステップは、前記第２のインタフェース画面を表示して、前記操作指示の入力を受けること
を特徴とする請求項１７に記載の情報処理方法。
【手続補正２】
【補正対象書類名】明細書
【補正対象項目名】００４１
【補正方法】変更
【補正の内容】
【００４１】
グルーピング処理部１１８は、ネットワーク１６０に接続されている操作対象装置のグルーピングを行う。例えば、グルーピング処理部１１８は、通信処理部１１１で受信された操作信号情報で示されるリモコン信号の内容から解析された操作指示内容が、確認実行判定部１１４で、操作対象装置の動作状態を変化させると判断された場合には、推定情報を参照することで、その操作指示内容に対応する推定動作状態を特定する。グルーピング処理部１１８は、動作状態確認部１１５から動作状態情報を受け取り、この動作状態情報で示される実動作状態が、推定動作状態と一致するか否かを操作対象装置毎に判断する。そして、グルーピング処理部１１８は、推定動作状態と実動作状態とが一致した操作対象装置を、その推定動作状態の元になった操作信号情報を送信してきた操作信号通知装置と同じグループであると判断する。なお、グルーピング処理部１１８がこのような判断をする場合には、情報処理装置１１０は、蓄積情報記憶部１１７を設ける必要はない。
【手続補正３】
【補正対象書類名】明細書
【補正対象項目名】００５４
【補正方法】変更
【補正の内容】
【００５４】
そして、グルーピング処理部１１８は、このような抽出結果に基づいて、蓄積情報記憶部１１７に記憶されている蓄積テーブル１１７ａを更新することで、より精度の高い判定を行う（Ｓ２６）。例えば、図５の例では、第１のエアコン１４０Ａは、過去の抽出結果として、推定された動作状態と実際の動作状態が一致した場合が９２回あり、一致しなかった場合が８回あることを示している。この場合、判定の閾値を８０％とすれば、グルーピング処理部１１８は、第１のエアコン１４０Ａと、第１の照明装置１５０Ａとが、第１の操作信号通知装置１３０Ａと同じグループであると判定できる。